【手続補正書】
【提出日】平成20年7月18日(2008.7.18)
【手続補正１】
【補正対象書類名】明細書
【補正対象項目名】発明の名称
【補正方法】変更
【補正の内容】
【発明の名称】非接触ＩＣ帳票
【手続補正２】
【補正対象書類名】明細書
【補正対象項目名】特許請求の範囲
【補正方法】変更
【補正の内容】
【特許請求の範囲】
【請求項１】  配達確認をおこなう配達票と、届け先に残される届け先票とを備える非接触ＩＣ帳票であって、
前記届け先票は、クーポン票及び／又はポイント票からなる交換票を備え、
前記交換票は、外部装置と非接触で情報の授受を行う非接触ＩＣ媒体の少なくともＩＣチップを備えること
を特徴とする非接触ＩＣ帳票。
【請求項２】  請求項１に記載の非接触ＩＣ帳票において、
前記交換票は、前記非接触ＩＣ媒体のアンテナの少なくとも一部と前記ＩＣチップとを含むように前記届け先票に形成された切取予定線によって、前記非接触ＩＣ帳票が貼付される配送物から剥離可能に形成されていること
を特徴とする非接触ＩＣ帳票。
【請求項３】  請求項１又は請求項２に記載の非接触ＩＣ帳票において、
該非接触ＩＣ帳票は、帳票基材と、剥離層と、擬似接着剤層と、タック紙とを積層してなり、前記配達票及び前記届け先票が平面上に配置される１パート形式の帳票であって、
前記交換票は、前記擬似接着剤層と前記剥離層によって前記非接触ＩＣ帳票が貼付される配送物から剥離可能に形成されていること
を特徴とする非接触ＩＣ帳票。
【請求項４】  請求項１又は請求項２に記載の非接触ＩＣ帳票において、
該非接触ＩＣ帳票は、帳票基材と、第１擬似接着剤層と、貼り合わせ基材と、剥離層と、第２擬似接着剤層と、タック紙とを積層してなり、前記配達票及び前記届け先票が平面上に配置される１パート形式の帳票であって、
前記交換票は、前記第２擬似接着剤層と前記剥離層によって前記非接触ＩＣ帳票が貼付される配送物から剥離可能に形成され、
前記非接触ＩＣ媒体のアンテナの少なくとも一部と前記ＩＣチップとは、前記第１擬似接着剤層によって前記帳票基材から剥離可能に形成されていること
を特徴とする非接触ＩＣ帳票。
【請求項５】  請求項１から請求項４までのいずれか１項に記載の非接触ＩＣ帳票において、
前記届け先票は、さらに、前記交換票に連接され届け先を記入する貼付票を備え、
前記交換票は、前記貼付票から分離可能に形成されていること
を特徴とする非接触ＩＣ帳票。
【請求項６】  請求項１又は請求項２に記載の非接触ＩＣ帳票において、
該非接触ＩＣ帳票は、さらに、配送の拠点に残される中継控を備え、前記届け先票と、前記中継控と、前記配達票とを有する多重製袋型の帳票であって、
前記交換票は、切取予定線によって前記届け先票から分離可能に形成されていること
を特徴とする非接触ＩＣ帳票。
【手続補正３】
【補正対象書類名】明細書
【補正対象項目名】０００１
【補正方法】変更
【補正の内容】
【０００１】
【発明の属する技術分野】
本発明は、非接触で外部と通信して、情報の記憶、処理を行う非接触型ＩＣ媒体を備えた非接触ＩＣ帳票に関するものである。
【手続補正４】
【補正対象書類名】明細書
【補正対象項目名】０００７
【補正方法】変更
【補正の内容】
【０００７】
本発明の課題は、低価格で配送伝票等の物流管理に使用することができる非接触ＩＣ帳票を提供することである。
【手続補正５】
【補正対象書類名】明細書
【補正対象項目名】０００８
【補正方法】変更
【補正の内容】
【０００８】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、配達確認をおこなう配達票（１０Ａ；１０−２Ａ；１０−３Ａ）と、届け先に残される届け先票（１０Ｂ，１０Ｃ；１０−２Ｃ；１０−３Ｃ，１０−３Ｄ）とを備える非接触ＩＣ帳票であって、前記届け先票は、クーポン票（１０Ｂ；１０−３１Ｃ）及び／又はポイント票（１１１）からなる交換票（１０Ｂ；１０−３１Ｃ；１１１）を備え、前記交換票は、外部装置と非接触で情報の授受を行う非接触ＩＣ媒体（１００；１００−２；１００−３）の少なくともＩＣチップ（１０１；１０１−２；１０１−３）を備えることを特徴とする非接触ＩＣ帳票（１０；１０−２；１０−３）である。
【手続補正６】
【補正対象書類名】明細書
【補正対象項目名】０００９
【補正方法】変更
【補正の内容】
【０００９】
請求項２の発明は、請求項１に記載の非接触ＩＣ帳票において、前記交換票は、前記非接触ＩＣ媒体のアンテナ（１０２；１０２−２：１０３−２；１０２−３：１０３−３）の少なくとも一部と前記ＩＣチップとを含むように前記届け先票に形成された切取予定線（Ｌ２；Ｌ３；Ｌ４）によって、前記非接触ＩＣ帳票が貼付される配送物から剥離可能に形成されていることを特徴とする非接触ＩＣ帳票（１０；１０−２；１０−３）である。
【手続補正７】
【補正対象書類名】明細書
【補正対象項目名】００１０
【補正方法】変更
【補正の内容】
【００１０】
請求項３の発明は、請求項１又は請求項２に記載の非接触ＩＣ帳票において、該非接触ＩＣ帳票は、帳票基材（１１−２）と、剥離層（１４−２）と、擬似接着剤層（１５）と、タック紙（１６）とを積層してなり、前記配達票及び前記届け先票が平面上に配置される１パート形式の帳票であって、前記交換票は、前記擬似接着剤層と前記剥離層によって前記非接触ＩＣ帳票が貼付される配送物から剥離可能に形成されていることを特徴とする非接触ＩＣ帳票（１０−２）である。
【手続補正８】
【補正対象書類名】明細書
【補正対象項目名】００１１
【補正方法】変更
【補正の内容】
【００１１】
請求項４の発明は、請求項１又は請求項２に記載の非接触ＩＣ帳票において、該非接触ＩＣ帳票は、帳票基材（１１）と、第１擬似接着剤層（１２）と、貼り合わせ基材（１３）と、剥離層（１４）と、第２擬似接着剤層（１５）と、タック紙（１６）とを積層してなり、前記配達票及び前記届け先票が平面上に配置される１パート形式の帳票であって、前記交換票は、前記第２擬似接着剤層と前記剥離層によって前記非接触ＩＣ帳票が貼付される配送物から剥離可能に形成され、前記非接触ＩＣ媒体のアンテナ（１０２−２：１０３−２；１０２−３）の少なくとも一部と前記ＩＣチップとは、前記第１擬似接着剤層によって前記帳票基材から剥離可能に形成されていることを特徴とする非接触ＩＣ帳票（１０）である。
【手続補正９】
【補正対象書類名】明細書
【補正対象項目名】００１２
【補正方法】変更
【補正の内容】
【００１２】
請求項５の発明は、請求項１から請求項４までのいずれか１項に記載の非接触ＩＣ帳票において、前記届け先票は、さらに、前記交換票に連接され届け先を記入する貼付票（１０Ｃ；１０−２Ｃ；１０−３Ｄ）を備え、前記交換票は、前記貼付票から分離可能に形成されていることを特徴とする非接触ＩＣ帳票（１０；１０−２；１０−３）である。
【手続補正１０】
【補正対象書類名】明細書
【補正対象項目名】００１３
【補正方法】変更
【補正の内容】
【００１３】
請求項６の発明は、請求項１又は請求項２に記載の非接触ＩＣ帳票において、該非接触ＩＣ帳票は、さらに、配送の拠点に残される中継控（１０−３Ｂ）を備え、前記届け先票と、前記中継控と、前記配達票とを有する多重製袋型の帳票であって、前記交換票は、切取予定線（Ｌ３）によって前記届け先票から分離可能に形成されていることを特徴とする非接触ＩＣ帳票（１０−３）である。
【手続補正１１】
【補正対象書類名】明細書
【補正対象項目名】００１４
【補正方法】削除
【補正の内容】
【手続補正１２】
【補正対象書類名】明細書
【補正対象項目名】００１６
【補正方法】変更
【補正の内容】
【００１６】
この非接触ＩＣ帳票１０は、図１（ｂ）に示すように、帳票基材１１の裏面に、第１疑似接着剤層１２、ＲＦ−ＩＤ１００Ａ、貼り合わせ基材１３、剥離印刷層（剥離層）１４、第２疑似接着剤層１５、タック紙１６を順次積層して設けられたものである。タック紙１６は、タック基材１６１と粘着剤層１６２とが積層され、粘着剤層１６２を保護するための剥離紙１６３を備えている。
【手続補正１３】
【補正対象書類名】明細書
【補正対象項目名】００２４
【補正方法】変更
【補正の内容】
【００２４】
図２は、第１実施形態に係る非接触ＩＣ帳票１０の使用方法を示す説明図である。
非接触ＩＣ帳票１０は、配達票１０Ａや貼付票１０Ｃなどにプリンタによって必要事項を印字した後に、剥離紙１６３を剥して、配送物３０に貼付する［図２（ａ）］。
運送会社の配達員は、配達を行なう際に、配達票１０Ａを剥離予定線Ｌ１に沿って、剥離印刷層１４及び第２疑似接着剤層１５の間で引き剥がし、配達先で受領印をもらい、持ち帰って保管する［図２（ｂ）］。
【手続補正１４】
【補正対象書類名】明細書
【補正対象項目名】００２５
【補正方法】変更
【補正の内容】
【００２５】
配送物３０を受け取った受取人は、クーポン券１０Ｂを切取予定線Ｌ２に沿って、剥離印刷層１４及び第２疑似接着剤層１５の間で、貼付票１０Ｃから切り離し、クーポン券１０Ｂの引き換え及び配送物の受付等を行う取次店へ持ち込む。受取人は、クーポン券１０Ｂをその枚数に応じて、配送料金の割引、取次店での買い物におけるキャッシュバック等のサービスと引き換えることができる［図２（ｃ）］。取次店は、運送会社及び受取人の間でクーポン券１０Ｂの回収を取り次ぐ。取次店は、例えば、配送サービスの申込受付、商品の販売等を行うコンビニエンスストア等の小売店等である。
持ち込まれたクーポン券１０Ｂは、取次店で保管され、配送物の集荷時に運送会社へ運ばれる［図２（ｄ）］。クーポン券１０Ｂは、運送会社で、帳票基材１１及び貼り合わせ基材１３を、第１疑似接着剤層１２で剥離することによって、ＲＦ−ＩＤ１００Ａを容易に取り出すことができ［図２（ｅ）］、リサイクルが可能となる。
【手続補正１５】
【補正対象書類名】明細書
【補正対象項目名】００２８
【補正方法】変更
【補正の内容】
【００２８】
（第２実施形態）
図３は、本発明による非接触ＩＣ帳票の第２実施形態を示す模式図である。
なお、前述した実施形態と同様な機能を果たす部分には、共通の符号を付して、重複する説明を適宜省略する。
第２実施形態における非接触ＩＣ帳票１０−２は、図３（ａ）に示すように、配達票１０Ａと、貼付票１０−２Ｃ等とが平面上に連接配置されている。
この非接触ＩＣ帳票１０−２は、帳票基材１１−２の裏面に、ＲＦ−ＩＤ１００−２Ａ、剥離印刷層（剥離層）１４−２、疑似接着剤層１５、タック紙１６を順次積層して設けられている。
【手続補正１６】
【補正対象書類名】明細書
【補正対象項目名】００４０
【補正方法】変更
【補正の内容】
【００４０】
【発明の効果】
以上詳しく説明したように、請求項１の発明によれば、届け先票に備えられ、クーポン票及び／又はポイント票からなる交換票に非接触ＩＣ媒体の少なくともＩＣチップを備えるため、非接触で複数の配送物を同時に読み取ることにより、作業の効率化を図ることができ、また、配達票を紛失した場合でも非接触ＩＣ媒体の紛失を防止することが可能となった。
【手続補正１７】
【補正対象書類名】明細書
【補正対象項目名】００４１
【補正方法】変更
【補正の内容】
【００４１】
請求項２の発明によれば、クーポン票及び／又はポイント票からなる交換票は、非接触ＩＣ媒体のアンテナの少なくとも一部とＩＣチップとを含むように届け先票に形成された切取予定線によって、非接触ＩＣ帳票が貼付される配送物から剥離可能に形成されているため、請求項１の発明の効果に加え、受取人が切取予定線に沿って交換票を切り離して取次店へ持ち込むことで、運送会社は、容易にＩＣチップの回収を行なうことでリサイクルが可能となった。
【手続補正１８】
【補正対象書類名】明細書
【補正対象項目名】００４２
【補正方法】変更
【補正の内容】
【００４２】
請求項３の発明によれば、非接触ＩＣ帳票は、帳票基材と、剥離層と、擬似接着剤層と、タック紙とを積層してなり、配達票及び届け先票が平面上に配置される１パート形式の帳票であって、交換票は、疑似接着剤層と剥離層によって非接触ＩＣ帳票が貼付される配送物から剥離可能に形成されるため、請求項１又は請求項２の発明の効果に加え、様々な印字対応が可能となり、また、受取人が交換票を容易に配送物から剥離することが可能となった。
【手続補正１９】
【補正対象書類名】明細書
【補正対象項目名】００４３
【補正方法】変更
【補正の内容】
【００４３】
請求項４の発明によれば、非接触ＩＣ帳票は、帳票基材と、第１擬似接着剤層と、貼り合わせ基材と、剥離層と、第２擬似接着剤層と、タック紙とを積層してなり、配達票及び届け先票が平面上に配置される１パート形式の帳票であって、交換票は、第２擬似接着剤層と剥離層によって非接触ＩＣ帳票が貼付される配送物から剥離可能に形成され、非接触ＩＣ媒体のアンテナの少なくとも一部とＩＣチップとは、第１擬似接着剤層によって帳票基材から剥離可能に形成されているため、請求項１又は請求項２の発明の効果に加え、様々な印字対応が可能となり、また、受取人が交換票を配送物から剥離することができ、運送会社は、回収した交換票の帳票基材及び貼り合わせ基材を第１擬似接着剤層で剥離することでＩＣチップを容易に取り出すことが可能となった。
【手続補正２０】
【補正対象書類名】明細書
【補正対象項目名】００４４
【補正方法】変更
【補正の内容】
【００４４】
請求項５の発明によれば、届け先票は、さらに、交換票に連接され届け先を記入する貼付票を備え、交換票は、貼付票から分離可能に形成されているため、請求項１から請求項４までのいずれか１項の発明の効果に加え、届け先に残される貼付票から交換票を分離することが可能となった。
【手続補正２１】
【補正対象書類名】明細書
【補正対象項目名】００４５
【補正方法】変更
【補正の内容】
【００４５】
請求項６の発明によれば、非接触ＩＣ帳票は、さらに、配送の拠点に残される中継控を備え、届け先票と、中継控と、配達票とを有する多重製袋型の帳票であって、交換票は、切取予定線によって届け先票から分離可能に形成されているため、請求項１又は請求項２の発明の効果に加え、多重製袋型配送伝票であっても、受取人が交換票を容易に届け先票から分離することが可能となった。
【手続補正２２】
【補正対象書類名】明細書
【補正対象項目名】００４６
【補正方法】削除
【補正の内容】